(57)【要約】      （修正有）【課題】屋根及び太陽光発電用パネルの傾斜の低い方に移動する時に、板状の雪掻き部の角度が、駆動手段を使うこと無く変わる簡単構造とし、安価な屋根及び太陽光発電用パネルの雪下ろし装置を提供する。【解決手段】雪下ろし装置の本体１に板状の雪掻き部２を支持する雪掻き支持部１１が設けられている。板状の雪掻き部２は雪掻き支持部１１に回転可能に支持されるための回転軸２１が設けられている。板状の雪掻き部２は屋根及び太陽光発電用パネルの傾斜の低い方が、屋根及び太陽光発電用パネルの傾斜面から離れる方向に曲がった形状をし、所定の位置まで回転すると回転が止まる構造となっている。雪下ろし装置の本体１に、雪下ろし装置駆動手段により雪下ろし装置を屋根及び太陽光発電用パネルの傾斜面に沿って動かす、雪下ろし装置駆動用ワイヤーを掛けるための、ワイヤー掛け用穴１２，１３が設けられている。【選択図】図１
0003194632.tif 000002
【実用新案登録請求の範囲】
【請求項１】
屋根及び太陽光発電用パネルの傾斜に沿って上下し、屋根及び太陽光発電用パネルの上の雪を下ろす、屋根及び太陽光発電用パネルの雪下ろし装置において、板状の雪掻き部が回転可能に支持され、その板状の雪掻き部の屋根及び太陽光発電用パネルの傾斜の低い方が、屋根及び太陽光発電用パネルの傾斜面から離れる方向に曲がった形状をして、屋根及び太陽光発電用パネルの雪下ろし装置が屋根及び太陽光発電用パネルの傾斜の低い方に移動する時に、雪の抵抗を受けて板状の雪掻き部の角度が変わり、雪を屋根及び太陽光発電用パネルから掻き下ろす構造にしたことを特徴とする屋根及び太陽光発電用パネルの雪下ろし装置。
【考案の詳細な説明】
【技術分野】
【０００１】  この考案は、屋根及び太陽光発電用パネルの雪下ろし装置の構造に関する。
【背景技術】
【０００２】  従来から、屋根の傾斜に沿って上下し、屋根の上に積もった雪を下ろす屋根の雪下ろし装置は、次の特許文献でみられるように公知になっている。【０００３】
【特許文献１】特許公開２００６−２９９６１４
【考案の開示】
【考案が解決しようとする課題】
【０００４】しかしながら、以上の技術によれば、屋根の雪下ろし装置本体を屋根の傾斜に沿って上下させる駆動手段と、屋根の傾斜面に対し平行な姿勢と屋根の傾斜面に対し垂直な姿勢とに姿勢を変更させる雪掻きボード駆動手段を備える必要があるために、複雑な構造で部品点数が多くなり、費用が高くなる欠点があった。【０００５】  そこで、この考案は、屋根及び太陽光発電用パネルの雪下ろし装置が、屋根及び太陽光発電用パネルの傾斜の低い方に移動する時に、板状の雪掻き部の角度が、駆動手段を使うこと無く変わる簡単構造とし、安価な屋根及び太陽光発電用パネルの雪下ろし装置を提供することを課題とする。
【課題を解決するための手段】
【０００６】  以上の課題を解決するために、この考案は、板状の雪掻き部を回転可能に支持し、その板状の雪掻き部の屋根及び太陽光発電用パネルの傾斜の低い方が、屋根及び太陽光発電用パネルの傾斜面から離れる方向に曲がった形状をして、屋根及び太陽光発電用パネルの雪下ろし装置が、屋根及び太陽光発電用パネルの傾斜の低い方に移動する時に、雪の抵抗を受けて板状の雪掻き部の角度が変わり、雪を屋根及び太陽光発電用パネルから掻き下ろす構造にしたことを特徴とする屋根及び太陽光発電用パネルの雪下ろし装置である。
【考案の効果】
【０００７】  この考案によれば、板状の雪掻き部を回転可能に支持し、その板状の雪掻き部の屋根及び太陽光発電用パネルの傾斜の低い方が、屋根及び太陽光発電用パネルの傾斜面から離れる方向に曲がった形状をして、屋根及び太陽光発電用パネルの雪下ろし装置が、屋根及び太陽光発電用パネルの傾斜の低い方に移動する時に、雪の抵抗を受けて駆動手段を使うこと無く板状の雪掻き部の角度が変わる構造をしているので、部品点数の少ない簡単な構造となり、安価な屋根及び太陽光発電用パネルの雪下ろし装置にすることができる。
【考案を実施するための最良の形態】
【０００８】  この考案の一実施形態を、図１及び図２に示す。
雪下ろし装置の本体１に板状の雪掻き部２を支持する雪掻き支持部１１が設けられている。板状の雪掻き部２は雪掻き支持部１１に回転可能に支持されるための回転軸２１が設けられている。板状の雪掻き部２は屋根及び太陽光発電用パネルの傾斜の低い方が、屋根及び太陽光発電用パネルの傾斜面５から離れる方向に曲がった形状をし、所定の位置まで回転すると回転が止まる構造となっている。【０００９】雪下ろし装置の本体１に、図示しない雪下ろし装置駆動手段により雪下ろし装置を屋根及び太陽光発電用パネルの傾斜面５に沿って動かす、雪下ろし装置駆動用ワイヤー４１，４２を掛けるための、ワイヤー掛け用穴１２，１３が設けられている。雪下ろし装置の本体１は、屋根及び太陽光発電用パネルの傾斜面５に設置されたレール３に沿って移動するように、レール３の溝３１に摺動可能に組み付けられている。レール３の中は、雪下ろし装置駆動用ワイヤー４１，４２が、雪下ろし装置の本体１に設けられたワイヤー掛け用穴１２，１３に固定された状態で、移動する構造となっている。【００１０】「実施形態の効果」
この実施形態によれば、図３に示すように、雪下ろし装置の本体１を屋根及び太陽光発電用パネルの傾斜の低い方から高い方に移動させる時は、板状の雪掻き部２が屋根及び太陽光発電用パネルの傾斜面５と平行に近い姿勢で移動するために、屋根及び太陽光発電用パネルの傾斜面５に積もった雪６から受ける抵抗は小さい。【００１１】  図４に示すように、雪下ろし装置の本体１を屋根及び太陽光発電用パネルの傾斜の高い方から低い方に移動させる時は、板状の雪掻き部２が屋根及び太陽光発電用パネルの傾斜面５に積もった雪６の抵抗を受けて、板状の雪掻き部２の角度を変えるための駆動手段が無くても、屋根及び太陽光発電用パネルの傾斜面５と垂直に近い姿勢まで回転し、屋根及び太陽光発電用パネルの傾斜面５に積もった雪６を掻き下ろすことができる。【００１２】  この考案の実施形態では、雪下ろし装置の本体１を屋根及び太陽光発電用パネルの傾斜の低い方から高い方に一定距離だけ移動した後に、屋根及び太陽光発電用パネルの傾斜の高い方から低い方に移動させて、屋根及び太陽光発電用パネルの傾斜面５に積もった雪６を掻き下ろす動作を繰り返し、屋根及び太陽光発電用パネルの傾斜の低い方から高い方に雪下ろし装置の本体１の動作範囲を広げることで、小さな雪下ろし装置でも屋根及び太陽光発電用パネルの傾斜面５に積もった雪６の殆どを掻き下ろすことができる。【００１３】  また、雪下ろし装置の本体１を移動させる距離を調節することで、掻き下ろす雪の量を調節することができるため、一度に掻き下ろす雪の量を少なく調節することで安全な作業ができる。板状の雪掻き部２は駆動手段を使うこと無く雪の抵抗を利用して角度を変える構造のため、板状の雪掻き部２より屋根及び太陽光発電用パネルの傾斜の低い方側の雪が無い状態では、板状の雪掻き部２は屋根及び太陽光発電用パネルの傾斜面５と平行に近い姿勢になり、高い位置から雪が滑り落ちてきても、小さい抵抗で雪を受け流すことができ、壊れ難い。【００１４】「他の実施形態」
図１の実施形態では、板状の雪掻き部２は平らに近い形状であったが、他の実施形態では、図６に示すように、板状の雪掻き部２の強度を上げるために、屋根及び太陽光発電用パネルの傾斜に沿う方向でリブ２２を設けても良い。【００１５】  また、図２の実施形態では、雪下ろし装置を屋根及び太陽光発電用パネルの傾斜面５に沿って動かすために、雪下ろし装置駆動用ワイヤー４１，４２を使っているが、チェーンや歯車などの別の駆動方法を使っても良い。
【図面の簡単な説明】
【００１６】
【図１】この考案の一実施形態を示す斜視図である。
【図２】この考案の一実施形態を示す正面図である。
【図３】この考案の一実施形態を示す正面図である。（傾斜の高い方に移動時）
【図４】この考案の一実施形態を示す正面図である。（傾斜の低い方に移動時）
【図５】この考案の一実施形態を示す全体図である。
【図６】この考案の一実施形態を示す斜視図である。（他の実施形態）
【符号の説明】
【００１７】１  雪下ろし装置の本体
１１  雪掻き支持部
１２  ワイヤー掛け用穴（傾斜の高い方への駆動用）
１３  ワイヤー掛け用穴（傾斜の低い方への駆動用）
２  板状の雪掻き部
２１  回転軸（雪掻き部回転軸）
２２  リブ（雪掻き部補強リブ）
３  レール
３１  溝（レール溝）
４１  雪下ろし装置駆動用ワイヤー（傾斜の高い方への駆動用）
４２  雪下ろし装置駆動用ワイヤー（傾斜の低い方への駆動用）
５  屋根及び太陽光発電用パネルの傾斜面
６  屋根及び太陽光発電用パネルの傾斜面に積もった雪
【図１】
0003194632.tif 000003
【図２】
0003194632.tif 000004
【図３】
0003194632.tif 000005
【図４】
0003194632.tif 000006
【図５】
0003194632.tif 000007
【図６】
0003194632.tif 000008